(57)【要約】      （修正有）【課題】洗濯物を人間の目線で竿に固定でき、竿をフックに架けてベランダの外に移動台で簡易に移動し、洗濯物を直接日光で乾燥させ、かつ、竿の収納は高い位置に収納できる洗濯物干し装置を提供する。【解決手段】洗濯物を竿６に固定する。グリップ４、２４を引くと、滑車５、２５を介して竿６が上に持ち上げられ、移動台２、２２に固定されたフック７、２７に架けることができる。さらに、グリップ９、２９を引くと移動台２、２２がベランダの外側に向けて移動する。洗濯物を取り込むときは、グリップ１０、３０を引くことで、竿６が移動台２、２２と共にベランダの内側に移動する。さらにグリップ４、２４を引き、物干し竿６を上げて、フック７、２７に架かった竿を外し、グリップ４、２４を戻し竿の高さ設定用ストッパー８、２８まで竿を下げて、洗濯物を取り込む。取り込んだ後は、竿をフック７、２７に戻す。【選択図】図１
0003169998.tif 000002
【実用新案登録請求の範囲】
【請求項１】
物干し竿を滑車で上下できる構造を左右に有する。
【請求項２】
竿を引っ掛ける事が出来るフックを左右に有する。
【請求項３】
竿を前後に移動出来る移動台を左右に有する。
【請求項４】
移動台を前後に移動させるロープの端に色分けしたグリップを左右に有する。
【考案の詳細な説明】
【技術分野】
【０００１】一般家庭
【背景技術】
【０００２】現在物干し竿に洗濯物を架けてベランダの外に干せない、直日光が当たらない。
【考案の概要】
【考案が解決しようとする課題】
【０００３】洗濯物を低い位置で竿に洗濯物を架けられる事を目的とする。【０００４】洗濯物を直接日光で乾燥と殺菌をさせる事を目的とする。【０００５】電気等の動力を使用しないで、竿の上下、前後動作が可能な事を目的とする。
【課題を解決するための手段】
【０００６】滑車とロープで竿を上下動作可能とし、竿を引っ掛けるフックが左右に有する。【０００７】竿をベランダの外に移動させる為の移動台と移動用のロープを左右に有する。
【考案の効果】
【０００９】物干し竿を下げる事で洗濯物及びハンガーを低い位置で竿に固定できた。【００１０】洗濯物を竿に干したままで、ベランダの外に移動可能となった。
【図面の簡単な説明】
【００１１】１．移動台の移動用レール、２．移動台、３．竿の上下動作をさせるロープ、４．竿の上下用ロープの滑車、５．物干し竿、６．竿を架けるフック、７．移動台前進用ロープ、８移動台後退
【実施例】
【００１２】洗濯物を人間の目線で竿に固定でき、竿をフックに架けてベランダの外に移動台で移動し洗濯物を直接日光で洗濯物を乾燥と殺菌させる。
【図１】
0003169998.tif 000003
【手続補正書】
【提出日】平成23年6月9日(2011.6.9)
【手続補正１】
【補正対象書類名】実用新案登録請求の範囲
【補正対象項目名】全文
【補正方法】変更
【補正の内容】
【実用新案登録請求の範囲】
【請求項１】
物干し竿に結ばれたロープを滑車に架けることにより、ロープを上下に引くことで物干し竿を上下できる構造を左右に有することを特徴とする洗濯物干し装置。
【請求項２】
上方に移動した竿を引っ掛ける事が出来るフックを左右に有することを特徴とする請求項１記載の洗濯物干し装置。
【請求項３】
フックを前後に移動出来る移動台を左右に有することを特徴とする請求項２記載の洗濯物干し装。
【請求項４】
移動台を前後に移動させるロープの端に色分けしたグリップを左右に有することを特徴とする請求項３記載の洗濯物干し装置。
【手続補正２】
【補正対象書類名】明細書
【補正対象項目名】００１１
【補正方法】変更
【補正の内容】
【００１１】
【図１】洗濯物干し装置の斜視図である。右側移動フレーム図  １  移動台移動用フレーム図  ２  移動台図  ３  移動用レール図  ４  竿の上下動作をさせるグリップ図  ５  竿の上下をさせる滑車図  ６  物干し竿図  ７  竿を引っ掛けるフック図  ８  竿を下げた時の竿の高さを決めるストッパー図  ９  移動台の前進用グリップ図（色分けされたグリップ）  １０  移動台後退用グリップ図（色分けされたグリップ）  １１  移動台前進用ロープ固定金具図  １２  移動台後退用ロープ固定金具図  １３  移動台前進用９０度ロープガイドパイプ（滑車も含む）図  １４  移動台後退用９０度ロープガイドパイプ（滑車も含む）図  １５  移動台前進用１８０度ロープガイドパイプ（滑車も含む）図  １６  移動台フック取り付けブラケット図  １７  竿上下用滑車取り付けブラケット図  １８  移動台移動用レール固定用金具図  左側移動フレーム図  ２１  移動台移動用フレーム図  ２２  移動台図  ２３  移動用レール図  ２４  竿の上下動作をさせるグリップ図  ２５  竿の上下をさせる滑車図  ２６  物干し竿図  ２７  竿を引っ掛けるフック図  ２８  竿を下げた時の竿の高さを決めるストッパー図  ２９  移動台の前進用グリップ図（色分けされたグリップ）  ３０  移動台後退用グリップ図（色分けされたグリップ）  ３１  移動台前進用ロープ固定金具図  ３２  移動台後退用ロープ固定金具図  ３３  移動台前進用９０度ロープガイドパイプ（滑車も含む）図  ３４  移動台後退用９０度ロープガイドパイプ（滑車も含む）図  ３５  移動台前進用１８０度ロープガイドパイプ（滑車も含む）図  ３６  移動台フック取り付けブラケット図  ３７  竿上下用滑車取り付けブラケット図  ３８  移動台移動用フレーム固定用金具図
【手続補正３】
【補正対象書類名】明細書
【補正対象項目名】００１２
【補正方法】変更
【補正の内容】
【００１２】洗濯物を人間の目線で竿に固定でき、竿をフックに架けてベランダの外に移動台で移動し、洗濯物を直接日光で乾燥と殺菌をさせる。
右側移動台移動用フレーム１は移動台フレーム固定用金具１８及び３８で既設の物干し台フック取り付けポルトで建物に金具１８及び３８共締めして固定する。
右側移動台移動フレーム１の下面の中心に移動台が移動可能な幅の空間が移動方向に開けてあり、両サイドには移動台２を受けるための移動用レール３あり、移動台を下側から受けている、
左側移動台移動フレーム２１の下面の中心に移動台が移動可能な幅の空間が移動方向に開けてあり、両サイドには移動台２２を受けるため移動用レール２３あり移動台を下側から受けている、
洗濯物を竿６に洗濯ハサミ等で固定し、右側移動フレーム１の竿を上下動作させるグリップ４を引くとロープは滑車取り付けプラケット１７に滑車が取り付けられている、滑車５を返してロープが竿に固定してあるために竿は持ち上がり、移動台にはフック取り付けブラケット１６にフック７がボルトで固定されている、持ち上がった竿をフック７に架ける事が出来る、左側移動フレーム２１の竿を上下動作させるグリップ２４を引くとロープは滑車２５を返してロープが竿に固定してある為に竿は持ち上がり、フック取り付けブラケット３６にフック２７がボルトで固定されている、持ち上がった竿をフック２７に架ける事が出来る、右側移動フレーム１のグリップ９を引くと移動台前進用９０度ロープガイドパイプ１３及び移動台前進用１８０度ロープガイドパイプ１５を経由して移動台の移動台前進用ロープ固定金具１１にロープが固定ロープある、グリップ９を引くことで移動台２及びフックに架かった、竿はベランダの外側に移動する、左側移動フレーム２１のグリップ２９を引くと移動台前進用９０度ロープガイパイプ３３及び移動台前進用１８０度ロープガイドパイプ３５を経由して移動台の移動台前進用ロープ固定金具３１にロープが固定してある、グリップ２９を引くことで移動台２２及びフックに架かった、竿はベランダの外側に移動し、洗濯物は日光で乾燥と殺菌ができる。
洗濯物が乾いたら右側フレーム１のグリップ１０を引くと、ロープは移動台後退用９０度ロープガイドパイプを返して移動台後退用ロープ固定金具１２に固定されている、グリップ１０を引く事で移動台２及びフックに架かった竿はベランダの内側に移動する、左側移動フレーム２１のグリップ３０を引くとロープは移動台後退用９０度ロープガイドパイプ３４を返し移動台後退用ロープ固定金具３２に固定されている、グリップ３０を引くことで移動台２２及びフック２７に架かった竿はベランダの内側に移動する、右側移動フレーム１のグリップ４を引き、物干し竿６を上げてフックを外し、グリップ４を戻し竿の高さ設定用ストッパー８まで竿をさげる、
左側移動フレーム２１のグリップ２４を引き、物干し竿６を上げてフック２７に架かった竿を外し、グリップ２４を戻し竿の高さ設定用ストッパー２８まで竿を下げる、乾いた洗濯物を取り入れて完了となる。
洗濯物を取り入れた後の物干し竿は右側フレームのグリップ４を引いて竿をフック７に架ける、左側フレームのグリップ２４を引いて竿をフック２７に架けることで通常の時は物干し竿が高い位置に収納されているのでベランダを広く使用出来る。
【手続補正４】
【補正対象書類名】図面
【補正対象項目名】全図
【補正方法】変更
【補正の内容】
【図１】
0003169998.tif 000004